【手続補正書】
【提出日】平成19年12月21日(2007.12.21)
【手続補正１】
【補正対象書類名】特許請求の範囲
【補正対象項目名】全文
【補正方法】変更
【補正の内容】
【特許請求の範囲】
【請求項１】
シートの一方の面に単位レンズが２次元方向に複数配列されたレンズアレイを設け、他方の面に遮光領域を有する２次元配列レンズシートであって、
前記単位レンズの中央部はシリンドリカルレンズの一部から形成され、前記単位レンズの両端部は球面ないし非球面レンズの一部により形成されていることを特徴とする遮光領域を有する２次元配列レンズシート。
【請求項２】
前記シート面に対する法線方向から観察したときに、前記シートの投影面積に占める前記単位レンズの形成面積が、９０．７％以上であることを特徴とする請求項１に記載の遮光領域を有する２次元配列レンズシート。
【請求項３】
前記単位レンズは、長径方向のピッチが３００μｍ以下、短径方向のピッチが２００μｍ以下であることを特徴とする請求項１または請求項２に記載の遮光領域を有する２次元配列レンズシート。
【請求項４】
前記単位レンズは、複数種の形状が異なる単位レンズより構成され、当該複数種の単位レンズは、規則的ないしランダムに配列されていることを特徴とする請求項１〜請求項３のいずれか１項に記載の遮光領域を有する２次元配列レンズシート。
【請求項５】
前記複数種の形状の異なる単位レンズは、それぞれシリンドリカルレンズの一部、球面ないし非球面レンズの一部、トーリックレンズの一部、その他の曲面で構成された凹ないし凸形状を少なくとも複数種使用することを特徴とする請求項４に記載の遮光領域を有する２次元配列レンズシート。
【請求項６】
前記単位レンズのレンズ表面には微小な凹凸面が形成され、前記凹凸面形成によるヘイズ値の増加量をΔｈａｚｅとすると、Δｈａｚｅ≧２％となることを特徴とする請求項１〜請求項５のいずれか１項に記載の遮光領域を有する２次元配列レンズシート。
【請求項７】
前記２次元配列レンズシートは、溶融押出しされた熱可塑性樹脂によりレンズ形状が形成されていることを特徴とする請求項１〜請求項６のいずれか１項に記載の遮光領域を有する２次元配列レンズシート。
【請求項８】
前記２次元配列レンズシートは、光透過性のシート基材上に、紫外線硬化型樹脂によりレンズ形状が形成されていることを特徴とする請求項１〜請求項６のいずれか１項に記載の遮光領域を有する２次元配列レンズシート。
【請求項９】
前記遮光領域は、遮光性および／または光吸収性を有する層である遮光性／光吸収性層により形成され、該遮光性／光吸収性層は、バインダ成分と、遮光性物質および／または光吸収性物質の両方の物質、もしくは遮光性物質および光吸収性物質の両方の物質の性質を兼ね備える物質とからなる樹脂組成物からなることを特徴とする請求項１〜請求項８のいずれか１項に記載の遮光領域を有する２次元配列レンズシート。
【請求項１０】
前記遮光性／光吸収性層は、一様な厚みで形成されていることを特徴とする請求項９に記載の遮光領域を有する２次元配列レンズシート。
【請求項１１】
前記遮光性／光吸収性層は、前記樹脂組成物中に、カーボンブラックや暗色系の顔料、または／および染料からなる遮光性物質が適宜に配合されていることを特徴とする請求項９〜請求項１０のいずれか１項に記載の遮光領域を有する２次元配列レンズシート。
【請求項１２】
光吸収性物質は、近赤外光（波長域７００〜２０００ｎｍ）に対する光吸収性物質として、銅または鉄を含有する化合物の微粉体あるいは錯体、カーボンブラック、アントラキノン化合物、シアニン化合物、フタロシアニン化合物、クロム，コバルト金属錯塩化合物、六塩化タングステンと塩化スズをメチルメタクリレート（ＭＭＡ）シロップに溶解させ重合させた材料、ジチオール系の金属錯体（主にニッケル錯体）、スクアリリウム化合物、アセチレン系ポリマーに酸化剤を気相もしくは液相でドーピングした材料、チオ尿素に硫化第二銅を作用させた材料、イモニュウム系材料等の多くの無機錯体や有機化合物等から選ばれた１以上を含むことを特徴する請求項９〜請求項１１のいずれか１項に記載の遮光領域を有する２次元配列レンズシート。
【請求項１３】
光吸収性物質は、可視光（波長４００〜７００ｎｍ）に対する光吸収性物質として、カーボンブラック、有機顔料、例えば、ニトロソ染料、ニトロ染料、アゾ染料、スチルベンアゾ染料、ケトイミン染料、トリフェニルメタン染料、キサンテン染料、アクリジン染料、キノリン染料、メチン、ポリメチン染料、チアゾール染料、インダミン、インドフェノール染料、アジン染料、オキサジン染料、チアジン染料、硫化染料、アミノケトン、オキシケトン染料、アントラキノン染料、インジゴイド染料、もしくはフタロシアニン染料等、金属、例えばＺｎ、Ｃｕ、Ａｌ、Ｐｂ、Ｃｒ、Ｃｄ、Ｆｅ、Ｃｏ、Ｋ、Ｎａ、Ｔｉ、Ｈｇ、Ｓｒ、Ｃａ、Ｂａ、Ｓｉ、もしくはＳ等の単体、合金、酸化物、水酸化物、またはこれらの複合体、等の無機化合物等から選ばれた１以上を含むことを特徴とする、請求項９〜請求項１２のいずれか１項に記載の遮光領域を有する２次元配列レンズシート。
【請求項１４】
前記遮光性物質および／または光吸収性物質は、遮光性／光吸収性層中に、１〜７０％（質量基準）程度含有されていることを特徴とする請求項９〜請求項１３のいずれか１項に記載の遮光領域を有する２次元配列レンズシート。
【請求項１５】
前記遮光領域は、銀塩材料層を光照射、現像によりパターニングして、形成したものであることを特徴とする請求項９〜請求項１０のいずれか１項に記載の遮光領域を有する２次元配列レンズシート。
【請求項１６】
前記遮光領域は、前記シートの出光面の面積に対して７５％〜９６％を占めることを特徴とする請求項１〜請求項１５のいずれか１項に記載の遮光領域を有する２次元配列レンズシート。
【請求項１７】
前記遮光領域の光学濃度の値が２以上であることを特徴とする請求項１〜請求項１６のいずれか１項に記載の遮光領域を有する２次元配列レンズシート。
【請求項１８】
前記遮光領域は、シートのレンズ形成面と反対側の面に遮光性および／または光吸収性を有する層を設け、レンズ形成面側よりレーザを用いて前記遮光性および／または光吸収性を有する層をアブレーション、溶融、昇華、燃焼、爆融もしくは削摩により選択的に除去することによりパターニング形成されたものであることを特徴とする請求項１〜請求項１７のいずれか１項に記載の遮光領域を有する２次元配列レンズシート。
【請求項１９】
前記遮光領域は、シートのレンズ形成面と反対側の面に光反応性樹脂を塗布し、レンズ形成面側より光照射して前記光反応性樹脂を反応させ、更に光遮光層または光吸収性層を選択的に前記光未照射の光反応性樹脂上に転写させることでパターニング形成されたものであることを特徴とする請求項１〜請求項１７のいずれか１項に記載の遮光領域を有する２次元配列レンズシート。
【請求項２０】
前記２次元配列レンズシートの遮光領域を有する出光面に支持、保護用の光透過性の板を貼り合せることを特徴とする請求項１〜請求項１９のいずれか１項に記載の遮光領域を有する２次元配列レンズシート。
【請求項２１】
前記光透過性の板は、光硬化性樹脂または熱硬化性樹脂を介して貼り合わされることを特徴とする請求項２０に記載の遮光領域を有する２次元配列レンズシート。
【請求項２２】
前記光透過性の板、レンズ部樹脂、貼り合せ用樹脂の少なくともいずれかには拡散剤が添加されていることを特徴とする請求項２０または請求項２１に記載の遮光領域を有する２次元配列レンズシート。
【請求項２３】
前記光透過性の板の表面には、ＡＲ処理、ＡＧ処理、ハードコート処理、帯電防止処理のいずれかの処理、または複数の処理がほどこされていることを特徴とする請求項２０〜請求項２２のいずれか１項に記載の遮光領域を有する２次元配列レンズシート。
【請求項２４】
少なくとも投射装置と、フレネルレンズシートと請求項１〜請求項２３のいずれか１項に記載の遮光領域を有する２次元配列レンズシートとを備えたスクリーンと、を有することを特徴とする背面投射型ディスプレイ。
【請求項２５】
前記２次元配列レンズシートの主要部をなす単位レンズは、当該単位レンズの長径方向が背面投射型ディスプレイの画面の上下方向と一致していることを特徴とする請求項２４に記載の背面投射型ディスプレイ。
【請求項２６】
前記２次元配列レンズシートを備えたスクリーンのピークゲインが３〜５であることを特徴とする請求項２４または請求項２５に記載の背面投射型ディスプレイ。
【請求項２７】
前記２次元配列レンズシートを備えたスクリーンの水平方向のゲイン半値角が３０°以上、垂直方向のゲイン半値角が８°以上であることを特徴とする請求項２４〜請求項２６のいずれか１項に記載の背面投射型ディスプレイ。
【手続補正２】
【補正対象書類名】明細書
【補正対象項目名】００２２
【補正方法】変更
【補正の内容】
【００２２】
請求項９の発明は、請求項１〜請求項８のいずれか１項に記載の遮光領域を有する２次元配列レンズシートにおいて、前記遮光領域は、遮光性および／または光吸収性を有する層である遮光性／光吸収性層により形成され、該遮光性／光吸収性層は、バインダ成分と、遮光性物質および／または光吸収性物質の両方の物質、もしくは遮光性物質および光吸収性物質の両方の物質の性質を兼ね備える物質とからなる樹脂組成物からなることを特徴とする。
請求項１０の発明は、請求項９に記載の遮光領域を有する２次元配列レンズシートにおいて、前記遮光性／光吸収性層は、一様な厚みで形成されていることを特徴とする。
請求項１１の発明は、請求項９〜請求項１０のいずれか１項に記載の遮光領域を有する２次元配列レンズシートにおいて、
前記遮光性／光吸収性層は、前記樹脂組成物中に、カーボンブラックや暗色系の顔料、または／および染料からなる遮光性物質が適宜に配合されていることを特徴とする。
請求項１２の発明は、請求項９〜請求項１１のいずれかに記載の遮光領域を有する２次元配列レンズシートにおいて、光吸収性物質は、近赤外光（波長域７００〜２０００ｎｍ）に対する光吸収性物質として、銅または鉄を含有する化合物の微粉体あるいは錯体、カーボンブラック、アントラキノン化合物、シアニン化合物、フタロシアニン化合物、クロム，コバルト金属錯塩化合物、六塩化タングステンと塩化スズをメチルメタクリレート（ＭＭＡ）シロップに溶解させ重合させた材料、ジチオール系の金属錯体（主にニッケル錯体）、スクアリリウム化合物、アセチレン系ポリマーに酸化剤を気相もしくは液相でドーピングした材料、チオ尿素に硫化第二銅を作用させた材料、イモニュウム系材料等の多くの無機錯体や有機化合物等から選ばれた１以上を含むことを特徴する。
請求項１３の発明は、請求項９〜請求項１２のいずれかに記載の遮光領域を有する２次元配列レンズシートにおいて、光吸収性物質は、可視光（波長４００〜７００ｎｍ）に対する光吸収性物質として、カーボンブラック、有機顔料、例えば、ニトロソ染料、ニトロ染料、アゾ染料、スチルベンアゾ染料、ケトイミン染料、トリフェニルメタン染料、キサンテン染料、アクリジン染料、キノリン染料、メチン、ポリメチン染料、チアゾール染料、インダミン、インドフェノール染料、アジン染料、オキサジン染料、チアジン染料、硫化染料、アミノケトン、オキシケトン染料、アントラキノン染料、インジゴイド染料、もしくはフタロシアニン染料等、金属、例えばＺｎ、Ｃｕ、Ａｌ、Ｐｂ、Ｃｒ、Ｃｄ、Ｆｅ、Ｃｏ、Ｋ、Ｎａ、Ｔｉ、Ｈｇ、Ｓｒ、Ｃａ、Ｂａ、Ｓｉ、もしくはＳ等の単体、合金、酸化物、水酸化物、またはこれらの複合体、等の無機化合物等から選ばれた１以上を含むことを特徴とする。
請求項１４の発明は、請求項９〜請求項１３のいずれかに記載の遮光領域を有する２次元配列レンズシートにおいて、前記遮光性物質および／または光吸収性物質は、遮光性／光吸収性層中に、１〜７０％（質量基準）程度含有されていることを特徴とする。
請求項１５の発明は、請求項９〜請求項１０のいずれかに記載の遮光領域を有する２次元配列レンズシートにおいて、前記遮光領域は、銀塩材料層を光照射、現像によりパターニングして、形成したものであることを特徴とする。
【手続補正３】
【補正対象書類名】明細書
【補正対象項目名】００２３
【補正方法】変更
【補正の内容】
【００２３】
請求項１６の発明は、請求項１〜請求項１５のいずれか１項に記載の遮光領域を有する２次元配列レンズシートにおいて、前記遮光領域は、前記シートの出光面の面積に対して７５％〜９６％を占めることを特徴とする。
【手続補正４】
【補正対象書類名】明細書
【補正対象項目名】００２４
【補正方法】変更
【補正の内容】
【００２４】
請求項１７の発明は、請求項１〜請求項１６のいずれか１項に記載の遮光領域を有する２次元配列レンズシートにおいて、前記遮光領域の光学濃度の値が２以上であることを特徴とする。
【手続補正５】
【補正対象書類名】明細書
【補正対象項目名】００２５
【補正方法】変更
【補正の内容】
【００２５】
請求項１８の発明は、請求項１〜請求項１７のいずれか１項に記載の遮光領域を有する２次元配列レンズシートにおいて、前記遮光領域は、シートのレンズ形成面と反対側の面に遮光性および／または光吸収性を有する層を設け、レンズ形成面側よりレーザを用いて前記遮光性および／または光吸収性を有する層をアブレーション、溶融、昇華、燃焼、爆融もしくは削摩により選択的に除去することによりパターニング形成されたものであることを特徴とする。上記のように、遮光領域は、レーザ照射し、アブレーション等の方法によってパターニング形成するため、非常にプロセスが簡易である。
また、請求項１９の発明は、請求項１〜請求項１７のいずれか１項に記載の遮光領域を有する２次元配列レンズシートにおいて、前記遮光領域は、シートのレンズ形成面と反対側の面に光反応性樹脂を塗布し、レンズ形成面側より光照射して前記光反応性樹脂を反応させ、更に光遮光層または光吸収性層を選択的に前記光未照射の光反応性樹脂上に転写させることでパターニング形成されたものであることを特徴とする。
【手続補正６】
【補正対象書類名】明細書
【補正対象項目名】００２６
【補正方法】変更
【補正の内容】
【００２６】
請求項２０の発明は、請求項１〜請求項１９のいずれか１項に記載の遮光領域を有する２次元配列レンズシートにおいて、前記２次元配列レンズシートの遮光領域を有する出光面に支持、保護用の光透過性の板を貼り合せることを特徴とする。
【手続補正７】
【補正対象書類名】明細書
【補正対象項目名】００２７
【補正方法】変更
【補正の内容】
【００２７】
請求項２１の発明は、請求項２０に記載の遮光領域を有する２次元配列レンズシートにおいて、前記光透過性の板は、光硬化性樹脂または熱硬化性樹脂を介して貼り合わされることを特徴とする。
【手続補正８】
【補正対象書類名】明細書
【補正対象項目名】００２８
【補正方法】変更
【補正の内容】
【００２８】
請求項２２の発明は、請求項２０または請求項２１に記載の遮光領域を有する２次元配列レンズシートにおいて、前記光透過性の板、レンズ部樹脂、貼り合せ用樹脂の少なくともいずれかには拡散剤が添加されていることを特徴とする。
【手続補正９】
【補正対象書類名】明細書
【補正対象項目名】００２９
【補正方法】変更
【補正の内容】
【００２９】
請求項２３の発明は、請求項２０〜請求項２２のいずれか１項に記載の遮光領域を有する２次元配列レンズシートにおいて、前記光透過性の板の表面には、ＡＲ処理、ＡＧ処理、ハードコート処理、帯電防止処理のいずれかの処理、または複数の処理がほどこされていることを特徴とする。
【手続補正１０】
【補正対象書類名】明細書
【補正対象項目名】００３０
【補正方法】変更
【補正の内容】
【００３０】
請求項２４の発明は、少なくとも投射装置と、フレネルレンズシートと請求項１〜請求項２３のいずれか１項に記載の遮光領域を有する２次元配列レンズシートとを備えたスクリーンと、を有することを特徴とする背面投射型ディスプレイである。
【手続補正１１】
【補正対象書類名】明細書
【補正対象項目名】００３１
【補正方法】変更
【補正の内容】
【００３１】
請求項２５の発明は、請求項２４に記載の背面投射型ディスプレイにおいて、前記２次元配列レンズシートの主要部をなす単位レンズは、当該単位レンズの長径方向が背面投射型ディスプレイの画面の上下方向と一致していることを特徴とする。
【手続補正１２】
【補正対象書類名】明細書
【補正対象項目名】００３２
【補正方法】変更
【補正の内容】
【００３２】
請求項２６の発明は、請求項２４または請求項２５に記載の背面投射型ディスプレイにおいて、前記２次元配列レンズシートを備えたスクリーンのピークゲインが３〜５であることを特徴とする。
【手続補正１３】
【補正対象書類名】明細書
【補正対象項目名】００３３
【補正方法】変更
【補正の内容】
【００３３】
請求項２７の発明は、請求項２４〜請求項２６のいずれか１項に記載の背面投射型ディスプレイにおいて、前記２次元配列レンズシートを備えたスクリーンの水平方向のゲイン半値角が３０°以上、垂直方向のゲイン半値角が８°以上であることを特徴とする。